(57)【要約】【課題】  便利に使用できる多方向に顕れる電子体温計を提供する。【解決手段】  電子体温計のディスプレー１１には識別可能な信号１２が設けられ、識別可能な信号１２は多方向性の文字または（及び）符号がある。電子温度計に方向センサー１６が設けられ、体温計を一般の正常操作方向で測定した場合、識別信号１２は使用者に対して正位に顕れ、体温計を反転した場合、方向センサー１６は重力作用によって体温計が使用される時の方向意義のある信号を発生する。体温計中の測定回路はその信号を受信し、直ちにディスプレー１１に使用者に対して正位に顕れる（逆さにならない）状態の信号を維持するように出力し、ディスプレー１１はその相対方向に意義のある正位の符号を顕す。【選択図】    図１
2004212390.tif 000002
【特許請求の範囲】
【請求項１】
多方向に顕す電子体温計であって、
電子体温計のディスプレーには識別可能な信号が設けられ、識別可能な信号は多方向性の文字または／及び符号があり、電子温度計に方向センサーが設けられ、体温計を一般の正常操作方向で測定した場合、識別信号は使用者に対して正位に顕れ、体温計を反転した場合、方向センサーは重力作用によって体温計が使用される時の方向意義のある信号を発生し、体温計中の測定回路はその信号を受信し、直ちにディスプレーに使用者に対して正位に顕れる状態の信号を維持するように出力し、ディスプレーはその相対方向に意義のある正位の符号が顕わされることを特徴とする電子体温計。
【請求項２】
方向センサーは、ローラまたはボールを有する振動スイッチであることを特徴とする請求項１記載の電子体温計。
【請求項３】
多方向に顕す電子体温計であって、
電子体温計のディスプレーには識別可能な信号が設けられ、識別可能な信号は多方向性の文字または／及び符号があり、電子温度計の外部には押しボタンスイッチが設けられ、体温計を一般の正常操作方向で測定した場合、識別信号は使用者に対して正位に顕れ、体温計を反転した場合、押しボタン制御方式によって体温計が使用された時の方向意義のある信号を発生し、体温計中の測定回路はその信号を受信し、直ちにディスプレーに使用者に対して正位に顕れる状態の信号を維持する信号を出力し、ディスプレーはその相対方向に意義のある正位の符号を顕すことを特徴とする電子体温計。
【請求項４】
押しボタン制御方式は、押しボタンを押す回数及び時間の組み合わせであるものであることを特徴とする請求項３記載の電子体温計。
【請求項５】
設けられる押しボタンは、スライドスイッチ、片切りスイッチ又は水銀スイッチの各種スイッチに変更可能であることを特徴とする請求項３記載の電子体温計。
【請求項６】
方向センサーは、変更可能であり、それは体温計本体の回路板に金箔が設けられ、金箔の一端は回路板に設けられている孔によって表示回路に接続され、金箔及び孔には固定レールが設けられており、ボールは固定レールに沿って回転することを特徴とする請求項１記載電子体温計。
【請求項７】
方向センサーは、変更可能であり、それは体温計本体の回路板に金箔が設けられ、金箔の両端は回路板に設けられている孔によってそれぞれ二つの表示回路に接続され、金箔及び孔の上側には固定レールが設けられており、ボールは固定レールに沿って回転することを特徴とする請求項１記載の電子体温計。
【発明の詳細な説明】
【技術分野】
【０００１】
本発明は、多方向に顕れる電子体温計の設計に関するもので、特に、体温計のディスプレーに多方向性の文字または（及び）符号のある識別可能な信号を設置し、ほかに電子体温計に方向センサーを設け、または、外に押しボタンスイッチを設け、使用者が右手または左手で体温計を使った場合（すなわち、体温計の上側を下側に反転した場合）、ディスプレーの温度値を顕す識別可能な信号は使用者に対して正位の顕れ状態を維持し（逆にならない）、個人または看護者の読み取りを便利にする。
【背景技術】
【０００２】
電子体温計が発明される前、人体の体温を測るには水銀体温計が幅広く使用され、人々は水銀が熱を受けると自然に膨張し、冷えると自然に収縮する原理を応用して水銀体温計を製作し、体温を測る過程において、水銀体温計の感温プローブ（すなわち、水銀感温筒）は熱を受けると水銀は自然に膨張し、かつ膨張した部分の水銀をガラス棒中の毛細管内に送り込むので、使用者は外部に刻まれている目盛りを通じて測った結果を読み取ることができる。ところが、近年来、水銀の高度汚染により、電子技術を利用して温度を測る電子体温計が機運に応じて生まれ、すでに逐次旧式の高度に汚染する水銀体温計に取って替わっている。
【０００３】
図１４を参照ください。従来の電子体温計には測られた温度値を顕すＬＣＤディスプレーがあるが、そのＬＣＤディスプレーに設けられている温度値を顕す識別可能な信号は測定時使用者に対して正位に顕れ、体温計を反転した場合（すなわち、上側を下側に変える場合）、その識別可能な信号は体温計の反転動作に伴って変化が起こらないので、それには最少次のような欠点がある。１．ディスプレーの表示は右手を使い慣れた使用者に適用し（図１４を参照ください）、左手を使い慣れた使用者が使用した場合（図１５を参照ください）、体温計を反転すると、ディスプレーの識別可能な信号は使用者に対して逆さになってしまい（同時に図１６を参照ください）、使用者は温度値を判読し難くなる。２．使用者が測定を完了し、右手で体温計を持った場合、直接それを反転して看護者に温度を読み取ってもらうことができず、使用者は看護者と同一方向になるように体を移動し、または、体温計を看護者に手渡し、看護者が見るのを正位に顕れる識別可能な信号であるようにし、温度値を容易に読み取るようにしなければならない。
【０００４】
図１７を参照ください。従来の体温計で体温を測った後、資料の処理を経て、それは直接出力制御信号に転換され、ディスプレーによって測られた温度値で顕れる。それ故に、反転されると、ディスプレーの識別可能な信号（温度値）は相対方向によって正位に顕すことができない。
【０００５】
上記従来の電子体温計の構造上の欠点を鑑み、本発明の発明者は、製品の設計開発を従事した実務経験に基づき、無数回の設計及び実験を経た後、ついに本発明を生み出すことができた。
【発明の開示】
【発明が解決しようとする課題】
【０００６】
本発明の目的は、ディスプレーに識別可能な信号を多方向に顕す電子体温計を提供することである。
【課題を解決するための手段】
【０００７】
構造的に電子体温計のディスプレーには識別可能な信号が設けられ、識別可能な信号には多方向性の文字または（及び）符号があり、それは温度値を顕すことができ、ほかに電子温度計に方向センサーが設けられ、または、外に押しボタンスイッチが設けられ、体温計で一般の正常操作方向で測った場合、識別信号は使用者に対して正位に顕れ、体温計を反転した場合（すなわち、上側を下側にする）、方向センサーは重力作用によって体温計が使用された時の方向意義のある信号を発生し、体温計中の測定回路はその信号を受信し、直ちにディスプレーに使用者に対して正位に顕れる（逆さにならない）状態の信号を維持するように出力し、ディスプレーはその相対方向に意義のある正位の符号（たとえば正確な温度値）を顕し、こうすれば、使用者は右手または左手で体温計を使用しても、便利に識別信号を判別することができる。
【発明を実施するための最良の形態】
【０００８】
本発明の各機能及び特徴等について更に了解していただくため、以下に具体的実施例を図面に合わせて詳しく説明します。
図１を参照ください。本発明の一実施例による多方向に顕れる電子体温計は、構造的に従来の体温計の体温測定の基本構造があり、それには体温計本体１０が設けられ、本体１０には測定用の基本回路、導線及び電池等が設けられ、本体１０の表面にはＬＣＤディスプレー１１及びスイッチ１３が設けられており、その中、ディスプレー１１には温度値を顕すことに供される識別可能な信号１２が設けられ、スイッチ１３は全体の始動に使われ、本体１０の前側は体温を測ることに使われる感温プローブ１４であり、本体１０の後側には蓋１５が設けられている。
【０００９】
本実施例の電子体温計の主要は、ディスプレーに設けられている識別可能な信号には多方向性の文字または（及び）符号があり（同時に図４ａを参照ください）、それは少なくて温度値を顕すことができ、ほかに電子体温計本体１０に方向センサー１６（例えば、ローラ（ボール）振動スイッチ）が設けられ、その方向センサー１６は周知の構造であり、本実施例はローラ（ボール）振動スイッチを最適にしたので、ここではその構造に対して簡単に説明する。すなわち、本実施例の方向センサー１６に使われるローラ（ボール）振動スイッチはその他同じ機能を持つ部材によって取り替えることができ、方向センサー１６には套筒１６１が設けられ、套筒１６１中にはメッキされたローラ１６２が二つ置かれ、套筒１６１の開口端には套筒の内径と同じ絶縁プラグ１６３が設けられ、絶縁プラグ１６３の中央にはメッキされた導電釘１６４が設けられており、ほかに絶縁プラグ１６３及び套筒１６１の内壁間に金属導線１６５が固定されている。平常態において、もし本実施例の電子体温計の本体が反転されなければ、二つのメッキされたローラ１６２は落下した状態にあり、その二つのローラ１６２は套筒１６１の内壁と接触するだけで、メッキ導電釘１６４とは接触せず、メッキ導電釘１６４と金属導線１６５は互いに導通されていないので、信号を発信することができない。体温計本体が反転される（すなわち、上側が下側になる）と、方向センサー１６内の二つのメッキされたローラ１６２は重力の作用によって導電釘１６４の方向へ落下し（図５の点線に示す如く）、この場合、二つのメッキされたローラ１６２は套筒１６１の内壁と接触するほか、メッキ導電釘１６４とも接触しているので、メッキ導電釘１６４と金属導線１６５は互いに導通されて、方向信号が発信される。
【００１０】
同時に、図２及び図４ｂを参照ください。本実施例の体温計１０で一般正常操作方向（右手で持つ）で測った場合、ディスプレー１１の識別可能な信号１２は使用者に対して正位の顕れ状態であり（図４ｂ中の識別可能な信号１２に顕れるのは温度値である）、使用者が温度値を判読するには問題ない。
【００１１】
同時に、図３及び図４ｂを参照ください。本実施例の体温計１０を左手で持って反転した場合（すなわち、上側が下側になる）、方向センサー１６は重力作用を通じて体温計が使用された時の方向意義のある信号、例えば、方向１、方向２、方向３…、方向ｎ等（図７及び図８を合わせて参照ください）を発生し、体温計本体１０の制御回路はその信号を受信して相対方向の出力制御信号に転換し、並びに、ディスプレー１１の駆動回路によってディスプレー１１の識別可能な信号１２は使用者に対して正位の表示状態を維持し（逆さにならない）、このように使用者は右手または左手で体温計を使用しても、便利に識別可能な信号１２を判読することができる。
【００１２】
図６に示す如く、本実施例は体温計本体１０に押しボタン１７を設置して方向センサー１６と入れ替えてもよく、押しボタン１７を制御する方式（例えば、押しボタン１７を押す回数及び時間の組み合わせ）によって体温計が使用された時の方向意義のある信号、例えば、方向１、方向２、方向３…、方向ｎ等（図９及び図１０を合わせて参照ください）を発生し、体温計本体１０の制御回路はその信号を受信して相対方向の出力制御信号に転換し、並びに、ディスプレー１１の駆動回路によってディスプレー１１の識別可能な信号１２は使用者に対して正位の表示状態を維持し（逆さにならない）、このように使用者は右手または左手で体温計を使用しても、便利に識別可能な信号１２を判読することができる。
【００１３】
図１１に示す如く、本実施例の体温計本体１０に設けられている押しボタン１７はスライドスイッチ１７１、片切りスイッチ１７２又は水銀スイッチ１７３等の各種スイッチによって入れ替えることができる。
【００１４】
図１２を参照ください。実務上、もし方向センサー１６にローラ（ボール）振動スイッチが採用されると、製造コストが高くなるので、方向センサー１６はその他機械設計によって入れ替えることができ、そのうちの一つの機械設計は体温計本体１０の回路板１８に金箔１８１が設けられ、金箔１８１の一端は回路板１８に設けられている孔１８２によって表示回路１８３に接続され、金箔１８１及び孔１８２には固定レール１９が設けられており（点線で示す如く）、ボール１８４は固定レール１９に沿って回転するが、平常態において、もし本実施例の電子体温計本体１０が反転されなければ、ボール１８４は金箔１８１の孔１８２のない一端に位置され、孔１８２の中には導通物がないので、表示回路１８３は導通されない。体温計本体１０が反転されると（すなわち、上側が下側になる）、ボール１８４は重力の作用によって金箔１８１の方向に沿って孔１８２の中に固定され、この時、孔１８２の中には導通物があるので、表示回路１８３には方向信号が発生する。
【００１５】
図１３に示す如く、別の方向センサーの機械設計は多方向のディスプレーに使われ、方向センサーの機械設計は同じく体温計本体１０の回路板１８に金箔１８１が設けられ、金箔１８１の両端は回路板１８に設けられている孔１８２及び孔１８５によってそれぞれ二つの表示回路１８３及び表示回路１８６（それぞれ二つの方向を代表する）に接続され、金箔１８１及び孔１８２の上側には固定レール１９が設けられており（点線に示す如く）、ボール１８４は固定レール１９に沿って回転するが、平常態において、もし本実施例の電子体温計本体１０が反転されなければ、ボール１８４はそのうちの一つの孔１８５の中に位置され、その中の一方向の表示回路１８６を導通することができ、別方向の表示回路１８３は導通することができない。体温計本体１０が反転されると（すなわち、上側が下側になる）、ボール１８４は重力の作用によって元来位置する孔１８５から離脱し、並びに、金箔１８１の方向に沿って別の孔１８２の中に固定され、この時、孔１８２の中には導通物があるので、表示回路１８３には方向信号が発生する。
【００１６】
上記二つの孔１８２及び孔１８５の中のすでに二つの表示回路１８３及び表示回路１８６と接続導通されている個所ははんだつけによって錫点１８２１又は錫点１８５１にし、導通の機敏さを強化してもよい。
【００１７】
上記の如く、本発明の電子体温計はディスプレーに多方向性の文字または（及び）符号のある識別可能な信号を設置し、ほかに電子体温計に方向センサーを設け、使用者が右手または左手で体温計を使った場合（すなわち、体温計の上側を下側に反転した場合）、ディスプレーの温度値を顕す識別可能な信号は使用者に対して正位の顕れ状態を維持し（逆にならない）、個人または看護者の判読を便利にすることができ、それには特別な効果があり、かつこれまでに類似した関連発明の公開がないので、発明特許の登録請求要件に符合する。
【００１８】
以上取り上げた本発明実施例は説明の便宜のために設けたもので、それをもって本発明の意義を制限するものではなく、およそ特許請求の範囲によって行われた各種変化設計はすべて本発明の特許範囲内に含まれるものとさせていただきたく、早急にご審査お願い申し上げます。
【図面の簡単な説明】
【００１９】
【図１】本発明の一実施例による多方向に顕れる電子体温計の外観図である。
【図２】本発明の一実施例による多方向に顕れる電子体温計を右手で持った状態を示す模式図である
【図３】本発明の一実施例による多方向に顕れる電子体温計を左手で持った状態を示す模式図である。
【図４ａ】本発明の一実施例による多方向に顕れる電子体温計のディスプレーの識別可能な信号の模式図である。
【図４ｂ】本発明の一実施例による多方向に顕れる電子体温計のディスプレーの識別可能な信号の模式図である。
【図４ｃ】本発明の一実施例による多方向に顕れる電子体温計のディスプレーの識別可能な信号の模式図である。
【図５】本発明の一実施例による多方向に顕れる電子体温計の方向センサーの構造を示す模式図である。
【図６】本発明の他の実施例による多方向に顕れる電子体温計を示す模式図である。
【図７】本発明の一実施例による多方向に顕れる電子体温計の回路（方向センサーをディスプレーの正位表示感知源とした）のブロックダイアグラムを示す図である。
【図８】本発明の一実施例による多方向に顕れる電子体温計のディスプレーが正位に顕すことができる（センサーで方向を判別する）フローダイアグラムを示す図である。
【図９】本発明の一実施例による多方向に顕れる電子体温計の別の回路（押しボタンスイッチをディスプレーの正位表示感知源とした）のブロックダイアグラムを示す図である。
【図１０】本発明の一実施例による多方向に顕れる電子体温計のディスプレーが正位に顕すことができる（押しボタン制御方式をもって方向を決める）フローダイアグラムを示す図である。
【図１１ａ】本発明の一実施例による多方向に顕れる電子体温計が運用できる感知スイッチの模式図である。
【図１１ｂ】本発明の一実施例による多方向に顕れる電子体温計が運用できる感知スイッチの模式図である。
【図１１ｃ】本発明の一実施例による多方向に顕れる電子体温計が運用できる感知スイッチの模式図である。
【図１２】本発明の一実施例による多方向に顕れる電子体温計の方向センサーの別の構造を示す模式図である。
【図１３】本発明の一実施例による多方向に顕れる電子体温計の方向センサーのもう一つの構造を示す模式図である。
【図１４】右手で従来の電子体温計を持った状態を示す模式図である。
【図１５】左手で従来の電子体温計を持った状態を示す模式図である。
【図１６ａ】従来の電子体温計のディスプレーの識別可能な信号の模式図である。
【図１６ｂ】従来の電子体温計のディスプレーの識別可能な信号の模式図である。
【図１７】従来のディスプレーの感知フローダイアグラムを示す図である。
【符号の説明】
【００２０】
１０  体温計本体、１１  ディスプレー、１２  識別可能な信号、１３  スイッチ、１４  感温プローブ、１５  後部蓋、１６  方向センサー、１７  押しボタンスイッチ、１８  回路板、１９  固定レール、１６１  套筒、１６２  メッキローラ、１６３  絶縁プラグ、１６４  メッキ導電釘 、１６５  金属導線、１７１  スライドスイッチ、１７２  片切スイッチ、１７３  水銀スイッチ、１８１  金箔、１８２  孔、１８３  表示回路、１８４  ボール、１８５  孔、１８６  表示回路、１８２１  錫ポイント、１８５１  錫ポイント
【図１】
2004212390.tif 000003
【図２】
2004212390.tif 000004
【図３】
2004212390.tif 000005
【図４ａ】
2004212390.tif 000006
【図４ｂ】
2004212390.tif 000007
【図４ｃ】
2004212390.tif 000008
【図５】
2004212390.tif 000009
【図６】
2004212390.tif 000010
【図７】
2004212390.tif 000011
【図８】
2004212390.tif 000012
【図９】
2004212390.tif 000013
【図１０】
2004212390.tif 000014
【図１１ａ】
2004212390.tif 000015
【図１１ｂ】
2004212390.tif 000016
【図１１ｃ】
2004212390.tif 000017
【図１２】
2004212390.tif 000018
【図１３】
2004212390.tif 000019
【図１４】
2004212390.tif 000020
【図１５】
2004212390.tif 000021
【図１６ａ】
2004212390.tif 000022
【図１６ｂ】
2004212390.tif 000023
【図１７】
2004212390.tif 000024